(57)【要約】【課題】検出対象物と夾雑物との分離性能が高く、かつ、高感度である表面プラズモン共鳴測定装置を提供する。【解決手段】表面プラズモン共鳴チップ１０と交流電源２０とを備え、表面プラズモン共鳴チップ１０は、基板１１と、基板１１の表面に形成された金属薄膜１２とを有し、金属薄膜１２により一対の電極１２ａ、１２ｂが形成されており、交流電源２０は一対の電極１２ａ、１２ｂに接続されている。電極１２ａ、１２ｂ間に交流電圧を印加することで、試料Ｓに界面動電現象を誘起できる。界面動電現象により検出対象物ａは金属薄膜１２の近傍に集められ、夾雑物ｂは金属薄膜１２の近傍から除去されるので、検出対象物ａと夾雑物ｂとの分離性能が高くなり、また高感度となる。【選択図】図１
2017058300.tif 000002
【特許請求の範囲】
【請求項１】
試料に含まれる検出対象物を検出するための表面プラズモン共鳴測定装置であって、
表面プラズモン共鳴チップと、
交流電源と、を備え、
前記表面プラズモン共鳴チップは、
光を透過する光透過性素材によって形成された基板と、
前記基板の表面に形成された金属薄膜と、を有し、
前記金属薄膜により、前記試料が配置される検出領域内で互いに対向するように配置された一対の電極が形成されており、
前記交流電源は、前記一対の電極に接続されている
ことを特徴とする表面プラズモン共鳴測定装置。
【請求項２】
前記電極は複数の電極指を有する櫛歯電極であり、
前記一対の電極は、前記検出領域内でそれぞれの前記電極指が互い違いに配置されている
ことを特徴とする請求項１記載の表面プラズモン共鳴測定装置。
【請求項３】
前記交流電源は、出力電圧の周波数が、前記試料に交流電気浸透流を誘起する周波数に設定されており、
前記金属薄膜の表面に前記検出対象物と結合する固定化物質が固定されている
ことを特徴とする請求項１または２記載の表面プラズモン共鳴測定装置。
【請求項４】
前記交流電源は、出力電圧の周波数が、前記検出対象物に正の誘電泳動を誘起する周波数に設定されている
ことを特徴とする請求項１または２記載の表面プラズモン共鳴測定装置。
【請求項５】
前記交流電源は、出力電圧の周波数が、前記試料に含まれる夾雑物に負の誘電泳動を誘起する周波数に設定されている
ことを特徴とする請求項１または２記載の表面プラズモン共鳴測定装置。
【請求項６】
前記金属薄膜の表面に前記検出対象物と結合する固定化物質が固定されている
ことを特徴とする請求項４または５記載の表面プラズモン共鳴測定装置。
【発明の詳細な説明】
【技術分野】
【０００１】
本発明は、表面プラズモン共鳴測定装置に関する。さらに詳しくは、界面動電現象を利用した表面プラズモン共鳴測定装置に関する。
【背景技術】
【０００２】
クレッチマン型表面プラズモン共鳴センサをバイオセンサとして用いることが知られている。近年、微量な検出対象物の検出を可能とするために、表面プラズモン共鳴センサのさらなる高感度化が求められている。また、検出対象物と夾雑物とを分離して、夾雑物の影響を低減することが求められている。
【０００３】
特許文献１には、金属薄膜の表面に複数の突起を設けた表面プラズモン共鳴チップが開示されている。チップ表面の凹凸により寸法の大きい夾雑物が金属薄膜から離間するとともに、寸法の小さい検出対象物が金属薄膜に接近する。寸法により検出対象物と夾雑物とを分離でき、夾雑物の影響を低減できる。
【先行技術文献】
【特許文献】
【０００４】
【特許文献１】特開２００９−８５８２５号公報
【発明の概要】
【発明が解決しようとする課題】
【０００５】
しかし、特許文献１の表面プラズモン共鳴チップは、μmオーダーの寸法を有する検出対象物と夾雑物とを分離することは可能であるが、より細かい寸法の検出対象物と夾雑物とを分離することは困難であった。また、検出対象物が微量である場合、感度が低いという問題があった。
【０００６】
本発明は上記事情に鑑み、検出対象物と夾雑物との分離性能が高く、かつ、高感度である表面プラズモン共鳴測定装置を提供することを目的とする。
【課題を解決するための手段】
【０００７】
第１発明の表面プラズモン共鳴測定装置は、試料に含まれる検出対象物を検出するための表面プラズモン共鳴測定装置であって、表面プラズモン共鳴チップと、交流電源と、を備え、前記表面プラズモン共鳴チップは、光を透過する光透過性素材によって形成された基板と、前記基板の表面に形成された金属薄膜と、を有し、前記金属薄膜により、前記試料が配置される検出領域内で互いに対向するように配置された一対の電極が形成されており、前記交流電源は、前記一対の電極に接続されていることを特徴とする。
第２発明の表面プラズモン共鳴測定装置は、第１発明において、前記電極は複数の電極指を有する櫛歯電極であり、前記一対の電極は、前記検出領域内でそれぞれの前記電極指が互い違いに配置されていることを特徴とする。
第３発明の表面プラズモン共鳴測定装置は、第１または第２発明において、前記交流電源は、出力電圧の周波数が、前記試料に交流電気浸透流を誘起する周波数に設定されており、前記金属薄膜の表面に前記検出対象物と結合する固定化物質が固定されていることを特徴とする。
第４発明の表面プラズモン共鳴測定装置は、第１または第２発明において、前記交流電源は、出力電圧の周波数が、前記検出対象物に正の誘電泳動を誘起する周波数に設定されていることを特徴とする。
第５発明の表面プラズモン共鳴測定装置は、第１または第２発明において、前記交流電源は、出力電圧の周波数が、前記試料に含まれる夾雑物に負の誘電泳動を誘起する周波数に設定されていることを特徴とする。
第６発明の表面プラズモン共鳴測定装置は、第４または第５発明において、前記金属薄膜の表面に前記検出対象物と結合する固定化物質が固定されていることを特徴とする。
【発明の効果】
【０００８】
第１発明によれば、電極間に交流電圧を印加することで、試料に界面動電現象を誘起できる。界面動電現象により検出対象物は金属薄膜の近傍に集められ、夾雑物は金属薄膜の近傍から除去されるので、検出対象物と夾雑物との分離性能が高くなり、また高感度となる。
第２発明によれば、一対の電極の電極指が互い違いに配置されているので、電極が対向する部分の長さを長くでき、界面動電現象を効果的に誘起できる。
第３発明によれば、交流電気浸透流により試料が撹拌されるため、検出対象物と固定化物質との接触頻度が増し、固定化物質に結合する検出対象物の量を多くでき、感度が高くなる。また、交流電気浸透流により金属薄膜に付着した夾雑物を除去できるため、検出対象物と夾雑物との分離性能が高い。
第４発明によれば、誘電泳動により検出対象物が金属薄膜に引き寄せられるので、検出対象物を金属薄膜の近傍に集めることができる。その結果、検出対象物と夾雑物との分離性能が高くなり、また高感度となる。
第５発明によれば、誘電泳動により夾雑物が金属薄膜から引き離されるので、夾雑物を金属薄膜の近傍から除去できる。その結果、検出対象物と夾雑物との分離性能が高くなり、また高感度となる。
第６発明によれば、誘電泳動により金属薄膜の近傍に集められた検出対象物を固定化物質に結合させることができる。
【図面の簡単な説明】
【０００９】
【図１】本発明の一実施形態に係る表面プラズモン共鳴測定装置１の側面図である。
【図２】表面プラズモン共鳴チップ１０の平面図である。
【図３】表面プラズモン共鳴チップ１０の製造手順の説明図である。
【図４】表面プラズモン共鳴現象による共鳴角の変化を説明した図である。
【図５】交流電気浸透流を利用した場合の説明図である。
【図６】誘電泳動を利用した場合の説明図である。
【発明を実施するための形態】
【００１０】
つぎに、本発明の実施形態を図面に基づき説明する。
（表面プラズモン共鳴測定装置１）
図１に示すように、本発明の一実施形態に係る表面プラズモン共鳴測定装置１は、表面プラズモン共鳴チップ１０と、交流電源２０とを備えている。
【００１１】
表面プラズモン共鳴チップ１０は、基板１１と、基板１１の表面に形成された金薄膜１２とから構成されている。
【００１２】
基板１１は、ガラスや樹脂材料などの光を透過する光透過性材料によって形成された板状の部材である。基板１１の厚さは特に限定されないが、1mm程度である。
【００１３】
金薄膜１２は基板１１の表面に金を蒸着することにより形成される。金薄膜１２の厚さはエバネッセント光が薄膜外ににじみ出す厚みであればよく、通常は45〜50nm程度である。なお、金薄膜１２に代えて、白金、銀、アルミなどの他の金属薄膜を採用してもよい。ただし、後述の固定化物質を金属薄膜に固定する場合には、固定化物質の固定の容易さと安定性の観点から、金薄膜を選択することが好ましい。
【００１４】
基板１１の裏面にはプリズム３０が配置される。プリズム３０の形状は特に限定されず、三角柱形でもよいし、断面台形の四角柱形でもよい。また、基板１１とプリズム３０とを一体化した構成としてもよい。
【００１５】
表面プラズモン共鳴チップ１０の表面中央部には検出領域Ｄが設定されている。表面プラズモン共鳴チップ１０の表面には、検出領域Ｄを囲むように試料保持枠４０が設置されている。試料保持枠４０の内部に液体の試料Ｓを供給することで、検出領域Ｄに試料Ｓを接触させた状態で配置できる。試料保持枠４０の素材は特に限定されないが、ＰＤＭＳ樹脂が好適に用いられる。
【００１６】
表面プラズモン共鳴測定装置１は、さらに光源５１と光検出器５２とを備えている。光源５１は例えば半導体レーザである。光源５１から発せられた光は、プリズム３０を通って検出領域Ｄの金薄膜１２で全反射する。金薄膜１２からの反射光は光検出器５２で受光される。光検出器５２により反射光強度が測定される。
【００１７】
図２に示すように、金薄膜１２はその一部が除去されており、残部で一対の電極１２ａ、１２ｂが形成されている。電極１２ａは、互いに平行に配置された複数の棒状の電極指１２１ａと、それら複数の電極指１２１ａを接続する基部１２２ａとを有する櫛歯電極である。同様に、電極１２ｂは複数の電極指１２１ｂと、基部１２２ｂとを有する櫛歯電極である。
【００１８】
電極１２ａの基部１２２ａと電極１２ｂの基部１２２ｂとは離間した状態で配置されている。基部１２２ａに接続された電極指１２１ａはその先端が基部１２２ｂに向かって配置されている。一方、基部１２２ｂに接続された電極指１２１ｂはその先端が基部１２２ａに向かって配置されている。そして、電極１２ａの電極指１２１ａと電極１２ｂの電極指１２１ｂとは互い違いに配置されている。また、これら電極指１２１ａ、１２１ｂは所定の間隔を空けて平行に配置されている。電極指１２１ａ、１２２ｂが配置される領域が検出領域Ｄに相当する。
【００１９】
表面プラズモン共鳴チップ１０の各寸法は特に限定されないが、例えば以下の寸法とすればよい。表面プラズモン共鳴チップ１０の平面視の寸法は10mm角〜20mmm角である。検出領域Ｄの寸法は3mm角〜10mm角である。電極指１２１ａ、１２２ｂの幅は2μm〜100μmである。電極指１２１ａ、１２２ｂ間のギャップ幅は2μm〜100μmである。
【００２０】
交流電源２０は電極１２ａ、１２ｂ間に接続されている。交流電源２０は、電極１２ａ、１２ｂ間に交流電圧を印加する機能を有する。また、少なくとも交流電圧の周波数を調整する機能を有する。
【００２１】
このような櫛歯電極１２ａ、１２ｂを有する表面プラズモン共鳴チップ１０は、例えば以下の手順で製造できる。図３に示すように、
（１）まず、ガラス基板にクロムを蒸着した後、金を蒸着して、金薄膜を形成する。例えば、クロムの厚みを5nm、金の厚みを45nmとする。
（２）つぎに、金薄膜の表面にレジストを塗布する。
（３）つぎに、レジストを櫛歯電極の形状にパターニングする。
（４）つぎに、ウエットエッチングにより不要部分の金およびクロムを除去する。
（５）最後に、レジストを除去する。そうすると、金薄膜から櫛歯電極を形成できる。
【００２２】
（表面プラズモン共鳴測定方法）
つぎに、表面プラズモン共鳴測定装置１を用いた測定方法を説明する。
図１に示すように、表面プラズモン共鳴チップ１０のプリズム３０側から金薄膜１２に対して光を全反射条件で入射すると、その光が金薄膜１２から染み出して金薄膜１２の表面から数百nmの領域にエバネッセント波が生じる。このエバネッセント波に起因して金薄膜１２の表面プラズモンが共鳴励起される。この現象は表面プラズモン共鳴といわれる。
【００２３】
共鳴現象の発生は金薄膜１２に入射される入射光Ｌ１の入射角に依存する。特定の入射角のときに、エバネッセント波と表面プラズモンの波数が一致し、表面プラズモンが共鳴励起される。そうすると、金薄膜１２に照射した光のエネルギーが表面プラズモンの励起に利用される。そのため、反射光Ｌ２の強度（反射光強度）が減少する。
【００２４】
共鳴現象が発生する入射光Ｌ１の入射角を共鳴角といい、これは表面プラズモン共鳴チップ１０の金薄膜１２の表面上にある物質の誘電率によって変化する。この性質を利用して、金薄膜１２の表面上に配置された試料Ｓに含まれる検出対象物を検出する。
【００２５】
なお、入射光Ｌ１の光軸は、平面視において電極指１２１ａ、１２１ｂの長尺方向と平行とすることが好ましい。表面プラズモン波が電極指１２１ａ、１２１ｂの長尺方向に伝播し、電極指１２１ａ、１２１ｂの間のギャップに妨げられることがないため、表面プラズモン共鳴を励起できるからである。
【００２６】
検出対象物の検出は例えば以下の手順で行われる。
まず、検出対象物を含まない試料Ｓを金薄膜１２上に配置する。この状態で、表面プラズモン共鳴チップ１０に対して基板１１側から全反射条件で入射光Ｌ１を入射する。そして、全反射条件を保ったまま、入射光Ｌ１の入射角を変化させつつ反射光強度を測定する。そうすると、図４の符号ＲＬ１で示すような波形が得られる。得られた波形ＲＬ１は入射角θ１で減衰している。この入射角θ１が検出対象物を含まない試料Ｓの共鳴角θ１である。
【００２７】
つぎに、検出対象物を含む試料Ｓを金薄膜１２上に配置する。この状態で、表面プラズモン共鳴チップ１０に対して基板１１側から全反射条件で入射光Ｌ１を入射する。そして、全反射条件を保ったまま、入射光Ｌ１の入射角を変化させつつ反射光強度を測定する。そうすると、図４の符号ＲＬ２で示すような波形が得られる。得られた波形ＲＬ２は入射角θ２で減衰している。この入射角θ２が検出対象物を含む試料Ｓの共鳴角θ２である。
【００２８】
ここで、検出対象物が金薄膜１２の近傍（エバネッセント波の影響が及ぶ範囲）に存在することで、金薄膜１２の表面上にある物質の誘電率が変化する。誘電率の変化により、共鳴角がθ１からθ２に変化する。
【００２９】
このため、共鳴角θ１と共鳴角θ２とを比較すれば、検出対象物が試料Ｓに含まれるか否かを確認することができる。また、共鳴角θ１と共鳴角θ２との差の度合い、すなわち共鳴角の変化量から、検出対象物の多寡を測定することもできる。
【００３０】
試料Ｓに含まれる検出対象物が微量である場合、共鳴角θ１と共鳴角θ２との差が小さいため、検出対象物の検出が困難である。試料Ｓに含まれる検出対象物を金薄膜１２の近傍に集めることができれば、誘電率が大きく変化するので、共鳴角の変化量も大きくなり、検出対象物の検出が容易となる。すなわち、表面プラズモン共鳴測定装置１の感度が高くなる。
【００３１】
また、試料Ｓに検出対象物のほかに夾雑物が含まれている場合、夾雑物が金薄膜１２の近傍に存在すると、それによっても誘電率が変化し、共鳴角が変化する。これにより、検出対象物の検出精度が低下する。検出対象物を金薄膜１２の近傍に集めつつ、夾雑物を金薄膜１２から引き離すことができれば、夾雑物の影響を低減でき、検出対象物の検出精度が高くなる。
【００３２】
本実施形態では、電極１２ａ、１２ｂ間に交流電圧を印加することで、試料Ｓに界面動電現象を誘起する。界面動電現象により検出対象物は金薄膜１２の近傍に集められ、夾雑物は金薄膜１２の近傍から除去される。そのため、検出対象物と夾雑物との分離性能が高くなり、また高感度となる。界面動電現象として交流電気浸透流と誘電泳動とを利用する。以下に、交流電気浸透流を利用する場合と誘電泳動を利用する場合とを順に説明する。
【００３３】
（交流電気浸透流）
まず、図５に基づき、交流電気浸透流を利用する場合を説明する。なお、図５は電極指１２１ａ、１２１ｂの幅方向の縦断面を示す。
【００３４】
試料Ｓは液体であり、検出対象物ａと夾雑物ｂとが含まれている。金薄膜１２（電極指１２１ａ、１２１ｂ）の表面には、検出対象物ａと結合する固定化物質ｃが固定されている。なお、固定化物質ｃの固定には公知の方法を採用することができる。
【００３５】
固定化物質ｃの具体例としては、生体由来分子、擬似生体膜（脂質二重膜）、ポリマー、錯体、ガス吸着層、細胞、ウイルス粒子などが挙げられる。これらのうち生体由来分子の例としては、タンパク質、ペプチド、核酸、糖鎖、およびこれらの複合体、誘導体、細胞、ウイルスなどが挙げられる。
【００３６】
固定化物質ｃとしてのタンパク質と検出対象物ａの組み合わせとしては、抗体と抗原、酵素と基質、レセプターと固定化物質、膜チャネルと固定化物質などが挙げられる。核酸を含んだ組み合わせとしては、核酸同士、核酸と核酸誘導体、アプタマー（結合性核酸）とその結合対象が挙げられる。糖鎖を含んだ組み合わせとしては、糖鎖とレクチンなどの糖鎖認識タンパク質などが挙げられる。細胞を含んだ組み合わせとしては、細胞同士、細胞表層物質とその結合物質、細胞と細胞結合性化合物などが挙げられる。ウイルスを含んだ組み合わせとしては、ウイルスと細胞、ウイルスと抗ウイルス抗体、ウイルスの表層に提示されたペプチドとその結合物質などが挙げられる。
【００３７】
また、固定化物質ｃと検出対象物ａのその他の組み合わせとしては、薬剤とその標的物質、ホルモン性化合物とその作用物質等の低分子化合物と生体関連物質の組み合わせも挙げられる。
【００３８】
交流電源２０は、その出力電圧の周波数が、試料Ｓに交流電気浸透流を誘起する周波数に設定されている。交流電気浸透流を誘起する周波数の具体的な値は試料Ｓに依存するが、一般的には10Hz〜100kHzの範囲内で設定される。
【００３９】
電極指１２１ａ、１２１ｂ間に交流電圧を印加すると交流電場が発生する。そうすると、試料Ｓには交流電気浸透流が発生する。交流電気浸透流は縦渦であり、電極指１２１ａ、１２１ｂ間のギャップ中央では下降流、各電極指１２１ａ、１２１ｂの中央では上昇流である。
【００４０】
交流電気浸透流により試料Ｓが撹拌される。試料Ｓが撹拌されることにより、検出対象物ａは静置されている場合よりも固定化物質ｃとの接触頻度が増す。そのため、固定化物質ｃに結合する検出対象物ａの量を多くできる。その結果、検出対象物ａが金薄膜１２の近傍に集まり、検出対象物ａの検出が容易となる。すなわち、表面プラズモン共鳴測定装置１の感度が高くなる。
【００４１】
また、試料Ｓに含まれる夾雑物ｂが沈降するなどして金薄膜１２に付着したとしても、交流電気浸透流によりその夾雑物ｂを除去して、金薄膜１２から引き離すことができる。その結果、検出対象物ａを金薄膜１２の近傍に集めつつ、夾雑物を金薄膜１２から引き離すことがきる。このように表面プラズモン共鳴測定装置１は検出対象物ａと夾雑物ｂとの分離性能が高い。そのため、夾雑物ｂの影響を低減でき、検出対象物ａの検出精度が高くなる。
【００４２】
以上のように、表面プラズモン共鳴測定装置１は高感度であるため、低濃度、低分子量の検出対象物ａの検出が可能となる。また、血液や食品などの夾雑物ｂを多く含む試料Ｓでも検出対象物ａを検出できる。
【００４３】
（誘電泳動）
つぎに、図６に基づき、誘電泳動を利用する場合を説明する。なお、図６は電極指１２１ａ、１２１ｂの幅方向の縦断面を示す。
【００４４】
試料Ｓは液体であり、検出対象物ａと夾雑物ｂとが含まれている。交流電源２０は、その出力電圧の周波数が、試料Ｓ中の粒子（検出対象物ａ、夾雑物ｂ）の誘電泳動を誘起する周波数に設定されている。
【００４５】
電極指１２１ａ、１２１ｂ間に交流電圧を印加すると不平等電界が発生する。図６の破線は電気力線を示す。各電極指１２１ａ、１２１ｂの縁部分（電極指１２１ａ、１２１ｂ間のギャップと隣り合う部分）の近傍は電界強度が強く、その他の領域は電界強度が弱い。
【００４６】
液中の粒子の複素誘電率が溶媒の複素誘電率よりも大きい場合、その粒子は電界強度が強い領域に向かって移動する。この現象は正の誘電泳動といわれる。逆に、液中の粒子の複素誘電率が溶媒の複素誘電率よりも小さい場合、その粒子は電界強度が弱い領域に向かって移動する。この現象は負の誘電泳動といわれる。誘電泳動力は電界の周波数に依存する。そのため、特定の周波数に設定すれば特定の複素誘電率を有する粒子のみが泳動する。
【００４７】
交流電源２０は、その出力電圧の周波数が、検出対象物ａに正の誘電泳動を誘起する周波数に設定されている。この周波数は検出対象物ａと溶媒の複素誘電率に依存するが、一般的には1〜50MHzの範囲内で設定される。
【００４８】
各電極指１２１ａ、１２１ｂの縁部分の電界強度が強いことから、検出対象物ａは金薄膜１２に近づく向きに移動する。すなわち、誘電泳動により、検出対象物ａが金薄膜１２に引き寄せられる。その結果、検出対象物ａを金薄膜１２の近傍に集めることができる。
【００４９】
また、交流電源２０の出力電圧の周波数を、夾雑物ｂに負の誘電泳動を誘起する周波数に設定してもよい。この周波数は夾雑物ｂと溶媒の複素誘電率に依存するが、一般的には1〜50MHzの範囲内で設定される。
【００５０】
金薄膜１２から離れた領域の電界強度が弱いことから、夾雑物ｂは金薄膜１２から離れる向きに移動する。すなわち、誘電泳動により、夾雑物ｂが金薄膜１２から引き離される。その結果、夾雑物ｂを金薄膜１２の近傍から除去できる。
【００５１】
以上のように、誘電泳動により検出対象物ａを金薄膜１２の近傍に集めることができるので、表面プラズモン共鳴測定装置１は感度が高い。また、選択的に検出対象物ａまたは夾雑物ｂを移動させることができるので、表面プラズモン共鳴測定装置１は検出対象物ａと夾雑物ｂとの分離性能が高い。
【００５２】
なお、誘電泳動を利用する場合、金薄膜１２の表面に固定化物質ｃを固定してもよいし、固定しなくてもよい。金薄膜１２の表面に固定化物質ｃを固定すれば、誘電泳動により金薄膜１２の近傍に集められた検出対象物ａを固定化物質ｃに結合させることができる。
【００５３】
交流電気浸透流を利用する場合でも誘電泳動を利用する場合でも、共鳴角の測定は、電極１２ａ、１２ｂ間に交流電圧を印加した状態で行えばよい。また、以下の手順としてもよい。まず、電極間１２ａ、１２ｂ間に交流電圧を印加して、界面動電現象により金薄膜１２の近傍に検出対象物ａを集め、金薄膜１２の表面に固定された固定化物質ｃに検出対象物ａを結合させる。つぎに、表面プラズモン共鳴チップ１０を洗浄し、夾雑物ｂを除去する。その後、その表面プラズモン共鳴チップ１０に光を照射し、共鳴角を測定する。
【００５４】
〔その他の実施形態〕
前記実施形態では、電極１２ａ、１２ｂを櫛歯電極としたが、これを他の形状、例えば単純な矩形の電極としてもよい。この場合、電極１２ａ、１２ｂは検出領域Ｄ内で互いに対向するよう配置される。このような電極形状でも、交流電気浸透流や誘電泳動を誘起することができる。
【００５５】
ただし、前記実施形態のように、電極１２ａ、１２ｂを櫛歯電極とし、それぞれの電極指１２１ａ、１２１ｂを互い違いに配置すれば、電極１２ａ、１２ｂが対向する部分の長さを長くできる。そうすると、広範囲において強い交流電気浸透流を発生させることができ、試料Ｓの全体を撹拌できる。また、誘電泳動により検出対象物ａが引き寄せられる電極指１２１ａ、１２１ｂの縁部分が多くなる。このように、界面動電現象を効果的に誘起できる結果、より多くの検出対象物ａを金薄膜１２に集めることができ、高感度となる。
【産業上の利用可能性】
【００５６】
表面プラズモン共鳴測定装置１は、血液検査、尿検査、食品検査、化学分析、臨床検査、環境分析などに利用可能である。
【符号の説明】
【００５７】
１        表面プラズモン共鳴測定装置
１０      表面プラズモン共鳴チップ
１１      基板
１２      金薄膜
１２ａ    電極
１２１ａ  電極指
１２２ａ  基部
１２ｂ    電極
１２１ｂ  電極指
１２２ｂ  基部
２０      交流電源
【図１】
2017058300.tif 000003
【図２】
2017058300.tif 000004
【図３】
2017058300.tif 000005
【図４】
2017058300.tif 000006
【図５】
2017058300.tif 000007
【図６】
2017058300.tif 000008